(57)【要約】【課題】使い勝手の良い殺菌照明装置を提供すること。【解決手段】殺菌照明棒は、紫外線光を照射可能な殺菌ランプユニットと、殺菌ランプユニットに電気的に接続され、前記殺菌ランプユニットを活性化及び非活性化する制御回路と、前記殺菌ランプユニットを活性化する活性化キーと、殺菌照明棒が通常位置に対して所定角度を超えて回されたとき、前記殺菌ランプユニットを非活性化する安全スイッチと、殺菌照明棒が通常位置に対して所定角度を超えて回されたときも殺菌ランプユニットの活性化状態を維持できるように、選択的に前記安全スイッチに優先することを可能とする強制動作キーとを有する。【選択図】図２
2012085739.tif 000002
【特許請求の範囲】
【請求項１】
殺菌照明棒とこの殺菌照明棒が接続可能な充電ベースとを有する殺菌照明装置であって、前記殺菌照明棒は、
一方に開口部を有する筐体と、
前記筐体に搭載され、前記開口部から紫外線光を照射可能な殺菌ランプユニットと、
前記殺菌ランプユニットに電気的に接続された制御ユニットであって、
前記筐体に設けられ、前記殺菌ランプユニットを活性化及び非活性化する制御回路と、
前記筐体外部から操作可能であり、前記制御回路と接続し、前記殺菌ランプユニットを活性化するために前記制御回路を活性化することを可能とする活性化キーと、
前記制御回路と接続し、前記筐体が通常位置に対して所定角度を超えて回されたとき、前記殺菌ランプユニットを非活性化するために前記制御回路を非活性化することを可能とする安全スイッチと、
前記筐体外部から操作可能であり、前記制御回路と接続し、前記筐体が通常位置に対して所定角度を超えて回されたときも前記殺菌ランプユニットの活性化状態を維持できるように、選択的に前記安全スイッチに優先することを可能とする強制動作キーと、
を有する制御ユニットと、
電源部であって、
前記筐体内に設けられ、前記制御ユニットと前記殺菌ランプユニットに電源供給可能な充電池と、
前記充電池と電気的に接続され、前記筐体外部からアクセス可能な、複数の充電用接点と
を有する電源部と
を備え、
前記充電ベースは、
前記殺菌照明棒の前記筐体を取り外し可能に保持するベース本体と、
前記ベース本体に設けられ、入力電力を電池充電用電力に変換可能な電源変換装置と、
前記ベース本体外部からアクセス可能であって、前記電源変換装置に接続し、前記筐体が前記ベース本体に保持されたとき、前記電池充電用電力を前記充電池に供給可能とするため、前記複数の充電用接点と電気的に接続するように設けられた導電端子と、
を備えたことを特徴とする殺菌照明装置。
【請求項２】
前記制御ユニットは、前記活性化キーの操作に応じて、前記殺菌ランプユニットを所定時間だけ活性化することを特徴とする請求項１記載の殺菌照明装置。
【請求項３】
前記制御ユニットはさらに、
前記制御ユニットに電気的に接続された表示ランプであって、前記制御ユニットによって、前記殺菌ランプユニットが活性化状態にあるときは第一の色の光を放ち、前記殺菌ランプユニットが活性化状態から非活性化状態に変化したとき第二の色の光を放つように制御される表示ランプを備えたことを特徴とする請求項２記載の殺菌照明装置。
【請求項４】
前記筐体は細長い形状であって、前記開口部が形成されたランプ搭載部と、握るためのグリップ部と備え、前記殺菌ランプユニットは前記ランプ搭載部に設けられ、前記グリップ部は前記ベース本体に取り外し可能に保持されることを特徴とする請求項１記載の殺菌照明装置。
【請求項５】
前記ランプ搭載部は前記グリップ部から所定角度をなすように曲がっていることを特徴とする請求項４記載の殺菌照明装置。
【請求項６】
前記ベース本体は、前記グリップ部を保持するための窪みが設けられた頂面部を有し、前記導電端子は前記窪みに設けられたことを特徴とする請求項４記載の殺菌照明装置。
【請求項７】
前記ベース本体及び前記グリップ部のいずれか一方に位置決め突起が設けられ、前記ベース本体及び前記グリップ部のもう一方に、前記窪みに前記グリップ部が保持されたとき前記位置決め突起と嵌合する、位置決め穴が設けられたことを特徴とする請求項６記載の殺菌照明装置。
【発明の詳細な説明】
【技術分野】
【０００１】
本発明は殺菌用の装置に係り、特に殺菌照明装置に関する。
【背景技術】
【０００２】
従来の携帯型紫外線殺菌照明装置１を図４に示す（特許文献１）。この殺菌照明装置１は持ち運びに便利であり、殺菌目的のために紫外線を照射することができる。しかしながら、その使用の際に、照明装置１の紫外線ランプ１１が紫外線を発している間に誤ってユーザの顔に向けられた場合、ユーザの目が傷つけられる危険性があった。このような欠点を克服するために、安全スイッチを設けた同様の照明装置が提案されている。この安全スイッチは、ユーザの目が傷つけられるリスクを低減するため、殺菌照明装置が通常位置に対して所定角度を超えて回されたときに電源を遮断するものである。
【先行技術文献】
【特許文献】
【０００３】
【特許文献１】台湾実用新案公告公報第Ｍ２８４３９３号明細書
【発明の概要】
【発明が解決しようとする課題】
【０００４】
しかしながら、上述したような従来の殺菌照明装置における安全スイッチを使用することで、殺菌照明装置の適用範囲が狭まってしまうという問題があった。さらに、殺菌照明装置１が電池や外部電源を電源として使用した場合も、電池は頻繁な交換が必要となり、また、外部電源の供給には電源コードが必要であるため、その長さによって殺菌照明装置１の使用範囲に制約が加わる。
【０００５】
本発明は、これらの問題に鑑みてなされたものであり、使い勝手の良い殺菌照明装置を提供することを目的とする。
【課題を解決するための手段】
【０００６】
本発明は、殺菌照明棒とこの殺菌照明棒が接続可能な充電ベースとを有する殺菌照明装置であって、前記殺菌照明棒は、一方に開口部を有する筐体と、前記筐体に搭載され、前記開口部から紫外線光を照射可能な殺菌ランプユニットと、前記殺菌ランプユニットに電気的に接続された制御ユニットであって、前記筐体に設けられ、前記殺菌ランプユニットを活性化及び非活性化する制御回路と、前記筐体外部から操作可能であり、前記制御回路と接続し、前記殺菌ランプユニットを活性化するために前記制御回路を活性化することを可能とする活性化キーと、前記制御回路と接続し、前記筐体が通常位置に対して所定角度を超えて回されたとき、前記殺菌ランプユニットを非活性化するために前記制御回路を非活性化することを可能とする安全スイッチと、前記筐体外部から操作可能であり、前記制御回路と接続し、前記筐体が通常位置に対して所定角度を超えて回されたときも前記殺菌ランプユニットの活性化状態を維持できるように、選択的に前記安全スイッチに優先することを可能とする強制動作キーと、を有する制御ユニットと、電源部であって、前記筐体内に設けられ、前記制御ユニットと前記殺菌ランプユニットに電源供給可能な充電池と、前記充電池と電気的に接続され、前記筐体外部からアクセス可能な、複数の充電用接点とを有する電源部とを備え、前記充電ベースは、前記殺菌照明棒の前記筐体を取り外し可能に保持するベース本体と、前記ベース本体に設けられ、入力電力を電池充電用電力に変換可能な電源変換装置と、前記ベース本体外部からアクセス可能であって、前記電源変換装置に接続し、前記筐体が前記ベース本体に保持されたとき、前記電池充電用電力を前記充電池に供給可能とするため、前記複数の充電用接点と電気的に接続するように設けられた導電端子と、を備えたことを特徴とする。
【０００７】
また、本発明は、前記制御ユニットが、前記活性化キーの操作に応じて、前記殺菌ランプユニットを所定時間だけ活性化することを特徴とする。
【０００８】
また、本発明は、前記制御ユニットはさらに、前記制御ユニットに電気的に接続された表示ランプであって、前記制御ユニットによって、前記殺菌ランプユニットが活性化状態にあるときは第一の色の光を放ち、前記殺菌ランプユニットが活性化状態から非活性化状態に変化したとき第二の色の光を放つように制御される表示ランプを備えたことを特徴とする。
【０００９】
また、本発明は、前記筐体が細長い形状であって、前記開口部が形成されたランプ搭載部と、握るためのグリップ部と備え、前記殺菌ランプユニットは前記ランプ搭載部に設けられ、前記グリップ部は前記ベース本体に取り外し可能に保持されることを特徴とする。
【００１０】
また、本発明は、前記ランプ搭載部が前記グリップ部から所定角度をなすように曲がっていることを特徴とする。
【００１１】
また、本発明は、前記ベース本体が、前記グリップ部を保持するための窪みが設けられた頂面部を有し、前記導電端子は前記窪みに設けられたことを特徴とする。
【００１２】
また、本発明は、前記ベース本体及び前記グリップ部のいずれか一方に位置決め突起が設けられ、前記ベース本体及び前記グリップ部のもう一方に、前記窪みに前記グリップ部が保持されたとき前記位置決め突起と嵌合する、位置決め穴が設けられたことを特徴とする。
【図面の簡単な説明】
【００１３】
【図１】本発明に係る殺菌照明装置の一実施形態を示す斜視図である。
【図２】本発明に係る殺菌照明装置の一実施形態において、殺菌照明棒部分を取り外した状態を示す斜視図である。
【図３】本発明に係る殺菌照明装置の一実施形態の断面図である。
【図４】従来の殺菌照明装置の一例を示す斜視図である。
【発明を実施するための形態】
【００１４】
以下、本発明の実施の形態を図面に基づいて説明する。
【００１５】
図１〜図３を参照して本発明の殺菌照明装置の実施形態について以下の通り説明する。本実施形態の殺菌照明装置は、紫外線を発生するための殺菌照明棒３と、充電ベース４を含んでいる。
【００１６】
殺菌照明棒３は一方に開口部３１２を有する筐体３１と、この筐体３１に設けられた殺菌ランプユニット３２、制御ユニット３３、電源部３４とを有する。
【００１７】
本実施形態において、筐体３１は細長い形状であって、開口部３１２が形成されたランプ搭載部３１１と、握るためのグリップ部３１３とを有している。殺菌ランプユニット３２はランプ搭載部３１１に設けられる。ランプ搭載部３１１はグリップ部３１３から所定角度をなすように曲がっていることが好ましい。
【００１８】
殺菌ランプユニット３２は筐体３１から開口部３１２を介して照射される紫外線を発生する。この殺菌ランプユニット３２はＵＶ−Ｃランプ管を使用することが好ましい。
【００１９】
制御ユニット３３は殺菌ランプユニット３２と電気的に接続し、制御回路３３１、活性化キー３３２、安全スイッチ３３５及び強制動作キー３３３を含んでいる。制御回路３３１は筐体３１に設けられ、殺菌ランプユニット３２の活性化と非活性化を行う。活性化キー３３２は筐体３１の外部から操作可能であり、殺菌ランプユニット３２を活性化するために制御回路３３１を活性化することを可能としている。本実施形態において、この活性化キー３３２は筐体３１のグリップ部３１３の上面に設けられている。
【００２０】
安全スイッチ３３５は筐体３１に設けられ、制御回路３３１と接続し、筐体３１が通常位置に対して所定角度を超えて回されたとき、殺菌ランプユニット３２を非活性化するために制御回路３３１を非活性化することを可能としている。本実施形態において、この安全スイッチ３３５は、所定角度を超えて傾いたときにトリガーがかかるローリング・ボール・スイッチ（ｒｏｌｌｉｎｇ  ｂａｌｌ  ｓｗｉｔｃｈ）であり、これによって殺菌ランプユニット３２を非活性化するために制御回路３３１を非活性化する。
【００２１】
強制動作キー３３３は筐体３１の外部から操作可能であり、制御回路３３１と接続し、筐体３１が通常位置に対して所定角度を超えて回されたときも殺菌ランプユニット３２の活性化状態を維持できるように、選択的に安全スイッチ３３５に優先することを可能とする。
【００２２】
本実施形態において、制御回路３３１は活性化キー３３２の操作に応じて、殺菌ランプユニット３２を所定時間、例えば２０分間、活性化する。
【００２３】
好ましくは、制御ユニット３３は更に、この制御ユニット３３に電気的に接続された表示ランプ３３４であって、この制御ユニット３３によって殺菌ランプユニット３２が活性化状態にあるときは第一の色の光を放ち、殺菌ランプユニット３２が活性化状態から非活性化状態に変化したとき、更に所定時間、例えば２０分間、第二の色の光を放つように制御される表示ランプ３３４を備えている。本実施形態において、表示ランプ３３４は活性化キー３３２の下に配置されている。
【００２４】
電源部３４は、筐体３１内に設けられ、制御ユニット３３と殺菌ランプユニット３２に電源供給可能な充電池３４１と、この充電池３４１と電気的に接続され、筐体３１の外部からアクセス可能な、複数の充電用接点３４２とを有している。本実施形態において、この複数の充電用接点３４２は筐体３１のグリップ部３１３の後端部底面側に設けられている。
【００２５】
充電ベース４は、殺菌照明棒３の筐体３１を取り外し可能に保持するベース本体４１と、このベース本体４１に設けられ、入力電力（例えば商用交流電源）を電池充電用電力に変換可能な電源変換装置４２（例えばトランス）と、ベース本体４１の外部からアクセス可能であって、電源変換装置４２に接続し、筐体３１がベース本体４１に保持されたとき、電池充電用電力を充電池３４１に供給可能とするため、複数の充電用接点３４２と電気的に接続するように設けられた導電端子４３とを有している。ベース本体４１は筐体３１のグリップ部３１３を取り外し可能に保持することが好ましい。
【００２６】
本実施形態では、ベース本体４１はグリップ部３１３を保持するための窪み４１０が設けられた頂面部を有し、導電端子４３はこの窪み４１０に設けられている。
【００２７】
また、本実施形態では、ベース本体４１には、電源コード５００と接続するための電源コネクタ４４が設けられている。電源変換装置４２は電源コード５００と電源コネクタ４４を介して入力電源を受けとる。
【００２８】
なお、ベース本体４１及びグリップ部３１３のいずれか一方に位置決め突起４１１が設けられ、前記ベース本体４１及び前記グリップ部３１３のもう一方に、窪み４１０にグリップ部３１３が保持されたとき位置決め突起４１１と嵌合する、位置決め穴３１４が設けられることが好ましい。本実施形態においては、位置決め突起４１１は窪み４１０の後部から突出しており、グリップ部３１３の後端部に位置決め穴３１４が設けられている。
【００２９】
本実施形態において、殺菌ランプユニット３２の活性化のため、制御回路３３１を活性化するよう活性化キー３３２が操作され、殺菌照明棒３が通常位置に対して所定角度を超えて回されたとき、殺菌照明棒３からユーザの顔に向けて紫外線を発することが無いように、安全スイッチ３３５が起動して殺菌ランプユニット３２の非活性化のため、制御回路３３１を非活性化する。この場合、殺菌照明棒３は１８０°使用範囲モードで動作している。一方、強制動作キー３３３が安全スイッチ３３５に優先するように操作されたとき、殺菌照明棒３の制御回路３３１も殺菌ランプユニット３２も安全スイッチによりかけられる角度制限と関係なく、活性化した状態を維持することができる。この場合、殺菌照明棒３は３６０°使用範囲モードで動作している。
【００３０】
これにより、本発明の殺菌照明装置が殺菌に用いられるとき、殺菌照明棒３のグリップ部３１３が握られ、活性化キー３３２および強制動作キー３３３のうち一つが操作されることによって、殺菌ランプユニット３２が活性化するよう、制御回路３３１を活性化する。このとき、殺菌照明棒３によって生成される紫外線は、殺菌したい部位に向けて照射され、ユーザはこの殺菌動作の進行状況を表示ランプ３３４から放たれる第一の色の光を通じて知ることができる。所定の時間が過ぎると、殺菌ランプユニット３２は非活性化され、表示ランプ３３４は殺菌動作の完了を示す第二の色の光を放つ。所定の時間が過ぎる前に、ユーザが殺菌動作を停止しようと考えた場合、活性化キー３３２または強制動作キー３３３をもう一度操作することで、制御回路３３１を非活性化してもよい。
【００３１】
殺菌照明棒３を何度か使用すると、充電池３４１の電源がそれ以上の動作に十分でなくなることが考えられる。電源コード５００を充電ベース４の電源コネクタ４４に接続して、殺菌照明棒３のグリップ部３１３が窪み４１０に取り外し可能に保持され、導電端子４３が充電用接点３４２との電気的接続を確立し、充電ベース４上の殺菌照明棒３の位置決めのため、位置決め突起４１１がグリップ部３１３の位置決め穴３１４と嵌合する。このとき、充電ベース４からの充電電源が充電池３４１の充電に用いられる。更に、殺菌照明棒３は充電ベース４に保持されている間も殺菌動作を行うようにしてもよい。ユーザが殺菌照明棒３を持つ必要が無いため、長時間の局所的な殺菌動作に適している。
【００３２】
以上、説明したように、本発明の殺菌照明装置の殺菌照明棒３と充電ベース４によって、殺菌照明棒３を簡単に充電することができる。また、充電ベース４が殺菌照明棒３を保持した状態は、長時間の局所的な殺菌動作にも使用できる。その上、制御回路３３１、活性化キー３３２、安全スイッチ３３５、強制動作キー３３３を含んだ制御ユニット３３により、殺菌照明棒３はその操作において安全スイッチ３３５によって角度的な制限がかけられる１８０°使用範囲モード、または安全スイッチ３３５によってかけられる角度的な制限が強制動作キー３３３によって解除される３６０°使用範囲モードとで使用可能である。
【００３３】
本発明について、最も実用的かつ好ましい実施形態により以上の通り説明したが、本発明はこれらの実施形態に限られるものではなく、すべての修正や同様の形態を包含するように、最も広い解釈の精神と範囲内の様々な形態を含んでいると理解すべきものである。
【符号の説明】
【００３４】
３  殺菌照明棒
３１  筐体
３１１  ランプ搭載部
３１２  開口部
３１３  グリップ部
３１４  位置決め穴
３２  殺菌ランプユニット
３３  制御ユニット
３３１  制御回路
３３２  活性化キー
３３３  強制動作キー
３３４  表示ランプ
３３５  安全スイッチ
３４  電源部
３４１  充電池
３４２  充電用接点
４  充電ベース
４１  ベース本体
４１０  窪み
４１１  位置決め突起
４２  電源変換装置
４３  導電端子
４４  電源コネクタ
５００  電源コード
【図１】
2012085739.tif 000003
【図２】
2012085739.tif 000004
【図３】
2012085739.tif 000005
【図４】
2012085739.tif 000006